(57)【特許請求の範囲】
【請求項１】
照明器具を制御するための操作手段を有する照明制御操作スイッチにおいて、前記操作手段の操作継続時間長により前記照明器具の制御モードを変える信号処理回路と、前記制御モードの状態を表示する表示手段とを有し、前記信号処理回路は、前記操作手段の操作継続時間長が第１の所定時間以下の場合に前記照明器具のオン・オフ信号を出力し、前記操作手段の操作継続時間長が第１の所定時間を越える場合に調光信号を出力する動作モードとなるものであり、前記調光信号を出力する動作モードになった場合に、前記操作手段の操作継続時間長が前記第１の所定時間より長い第２の所定時間後に継続されるか否かにより、前記第２の所定時間後の前記操作手段の操作により出力する調光信号を、アップ調光制御を行うための調光信号とダウン調光制御を行うための調光信号との相異なる調光信号に定めることを特徴とする照明制御操作スイッチ。
【請求項２】
前記信号処理回路を箱体に収容させ前記操作手段と前記表示手段とを前記箱体の表面に露出させるとともに、前記箱体にこの箱体を取付面に埋込取付させる取付手段を設けたことを特徴とする請求項１記載の照明制御操作スイッチ。
【請求項３】
前記照明制御操作スイッチが、アドレス設定手段を有することを特徴とする請求項１、または請求項２記載の照明制御操作スイッチ。
【請求項４】
請求項１記載の照明制御操作スイッチと、この照明制御操作スイッチと照明器具とに接続され、前記オン・オフ信号または前記調光信号を受信するとともに、受信した前記オン・オフ信号をもとに前記照明器具をオン・オフするオン・オフ手段と、受信した前記調光信号をもとに前記照明器具を調光制御する調光手段とを有する受信機とを備えてなることを特徴とする照明制御システム。
【発明の詳細な説明】
【０００１】
【発明の属する技術分野】
本発明は、照明制御操作スイッチおよびこれを使用した照明制御システムに関する。
【０００２】
【従来の技術】
図１０乃至図１２は、従来の照明制御操作スイッチ１を示すもので、この照明制御操作スイッチ１は、照明制御システムに使用されて照明器具（不図示）を点滅制御および調光制御するものであって、照明器具のオン・オフ用の操作手段２と、調光レベルの調節用の操作手段２とを有するように構成されている。
【０００３】
操作手段２は、照明器具のオン・オフ用としてタンブラスイッチ２ａが使われており、また、照明器具の調光レベルの調節用には主としてスライド型ボリューム２ｂが使われている。また、図１１に示すように、照明器具の調光レベルの調節用にはスライド型ボリューム２ｂ以外にも、回動型ボリューム２ｃが使われることもある。
【０００４】
図１３は、上述の照明制御操作スイッチ１が使用された従来の照明制御システムを示したものであって、照明制御操作スイッチ１と、受信機３および照明器具４とを備えて構成されている。
【０００５】
受信機３は、オン・オフ手段５と調光手段６とを備え、信号線を介して照明制御操作スイッチ１と接続されてなり、照明制御操作スイッチ１側でタンブラスイッチ２ａを入切させるとオン・オフ手段５により照明器具４のオン・オフを行い、照明制御操作スイッチ１側でスライド型ボリューム２ｂをスライドさせると調光手段６により照明器具４の調光制御を行うようにされている。
【０００６】
【発明が解決しようとする課題】
しかしながら、上述のような従来の照明制御操作スイッチ１においては、１つの操作手段２が、照明器具４のオン・オフか、調光レベルの調節かのどちらかの単機能しか果たさないという問題点があった。
【０００７】
また、このような照明制御操作スイッチ１を使用した従来の照明制御システムにおいては、オン・オフ用と調光レベル調節用に２つの操作手段２が必要であるという問題点があった。また、操作手段２としてのスライド型ボリューム２ｂや回動型ボリューム２ｃは、操作するためのスペースも必要になるという問題があった。
【０００８】
本発明は、上述のような問題点を解決するためになされたもので、その目的とするところは、１つの操作手段で照明器具のオン・オフと調光レベルの調節とを行えるようにした照明制御操作スイッチを提供することにあり、また、別の目的とするところは、この照明制御操作スイッチを使用した照明制御システムを提供することにある。
【０００９】
【課題を解決するための手段】
本発明は前記の問題点を解決するため、請求項１記載の発明にあっては、照明器具を制御するための操作手段を有する照明制御操作スイッチにおいて、前記操作手段の操作継続時間長により前記照明器具の制御モードを変える信号処理回路と、前記制御モードの状態を表示する表示手段とを有し、前記信号処理回路は、前記操作手段の操作継続時間長が第１の所定時間以下の場合に前記照明器具のオン・オフ信号を出力し、前記操作手段の操作継続時間長が第１の所定時間を越える場合に調光信号を出力する動作モードとなるものであり、前記調光信号を出力する動作モードになった場合に、前記操作手段の操作継続時間長が前記第１の所定時間より長い第２の所定時間後に継続されるか否かにより、前記第２の所定時間後の前記操作手段の操作により出力する調光信号を、アップ調光制御を行うための調光信号とダウン調光制御を行うための調光信号との相異なる調光信号に定めることを特徴とする。
【００１０】
請求項２記載の発明にあっては、請求項１記載の照明制御操作スイッチにおいて、前記信号処理回路を箱体に収容させ前記操作手段と前記表示手段とを前記箱体の表面に露出させるとともに、前記箱体にこの箱体を取付面に埋込取付させる取付手段を設けたことを特徴とする。
【００１１】
請求項３記載の発明にあっては、請求項１、または請求項２記載の照明制御操作スイッチにおいて、前記照明制御操作スイッチが、アドレス設定手段を有することを特徴とする。
【００１２】
請求項４記載の発明にあっては、請求項１記載の照明制御操作スイッチと、この照明制御操作スイッチと照明器具とに接続され、前記オン・オフ信号または前記調光信号を受信するとともに、受信した前記オン・オフ信号をもとに前記照明器具をオン・オフするオン・オフ手段と、受信した前記調光信号をもとに前記照明器具を調光制御する調光手段とを有する受信機とを備えてなることを特徴とする。
【００１３】
【発明の実施の形態】
図１乃至図７は、本発明の照明制御操作スイッチ１の一実施の形態を示すもので、この照明制御操作スイッチ１は、照明器具（不図示）に接続されて使用されるものであって、操作手段２と、表示手段７、信号処理回路８、メモリ９、アドレス設定手段１０、箱体１１および取付手段１２とを備えて構成されている。
【００１４】
操作手段２は、例えばタッチセンサーであって、信号処理回路８に接続されており、外部からのタッチ入力があると、信号処理回路８によって、タッチが継続された時間長である操作継続時間長Ｔを、信号処理回路８に接続されたタイマー回路１３により読み取るようにされている。
【００１５】
表示手段７は、ＬＥＤ７ａとＬＥＤ駆動回路７ｂとを備え、信号処理回路８に接続されたＬＥＤ駆動回路７ｂに接続されて、信号処理回路８によって点滅制御されるようにされている。また、ＬＥＤ７ａは、照明器具のオン（点灯）・オフ（消灯）の各状態に応じて点灯・消灯されるとともに、信号処理回路８による調光制御の制御モードを点滅表示するようにされており、アップ調光制御時にはダウン調光制御時よりも速く点滅するように制御される。
【００１６】
信号処理回路８は、照明器具のオン・オフ信号を発生するオン・オフ信号発生回路８ａと、照明器具の調光信号を発生する調光信号発生回路８ｂとを備えて構成されている。そして、この信号処理回路８は、操作手段２への操作継続時間長Ｔに応じて、照明器具の制御モードを変える３種類の信号であるオン・オフ信号、ダウン調光用の調光信号、アップ調光用の調光信号を照明器具側に出力するように動作するとともに、表示手段７のＬＥＤ７ａを、３種類の制御モードのそれぞれに応じて点滅制御するようにされている。
【００１７】
このような信号処理回路８では、操作手段２がタッチされた時間である操作継続時間長Ｔを、タイマー回路１３の第１のタイマーであるタイマー１を使って読み取り、この操作継続時間長Ｔが予め定められた時間Ｔ１以下の場合は、信号処理回路８は、オン・オフ信号発生回路８ａから照明器具のオン・オフの切り換えのためのオン信号、またはオフ信号を出力させ、ＬＥＤ７ａを点灯、または消灯させる。
【００１８】
また、操作継続時間長Ｔが時間Ｔ１を超えた場合は、信号処理回路８は、ＬＥＤ７ａの低速点滅制御を開始する。この場合、操作手段２がタッチされてから別に予め定められた時間Ｔ２（Ｔ２＞Ｔ１）後にタッチが継続されているときは、信号処理回路８は、操作継続時間長Ｔの時間Ｔ２を超えた時点からタッチが終わるまで、調光信号発生回路８ｂから、照明器具側にダウン調光制御を行うための調光信号を出力する。
【００１９】
また、時間Ｔ２以内にタッチが終了したときは、信号処理回路８は、操作手段２がタッチされてから時間Ｔ２が経過した後、ＬＥＤ７ａの点滅制御を低速点滅状態から高速点滅状態に切り替えるとともに、その切り替えと略同時にカウントされ始めるさらに別に定められた時間Ｔ３だけ、タイマー回路１３の第２のタイマーであるタイマー２を使ってカウントし、時間Ｔ３以内の操作手段２への再度のタッチ入力を待つ。そして、信号処理回路８は、時間Ｔ３以内で操作手段２への再度のタッチ入力を検知すると、ＬＥＤ７ａが高速点滅を開始した時点から時間Ｔ３経過後であって、その時点からタッチが終了するまで、調光信号発生回路８ｂから、照明器具側にアップ調光制御を行うための調光信号を出力する。また、信号処理回路８は、ＬＥＤ７ａが高速点滅を開始した後、操作手段２への再度のタッチ入力を検知しなければ調光信号出力は行わずに、メモリ９に照明器具の調光データを格納し、ＬＥＤ７ａを点灯状態に戻す。また、信号処理回路８は、操作手段２へのタッチが終了するとアップまたはダウン調光の調光信号の出力を終了し、メモリ９に照明器具の調光データを格納し、ＬＥＤ７ａを点灯状態に戻す。このようにして照明器具のアップまたはダウンの調光制御が終了し、照明器具が調光制御終了時の調光レベルで点灯するようにされる。
【００２０】
メモリ９は、信号処理回路８に接続されており、照明器具の調光データを読み出し可能に記憶させておくためのものであり、照明器具側にオン信号が送信されるときに、オンされる照明器具の調光データが信号処理回路８によって読み出されるようにされている。
【００２１】
アドレス設定手段１０は、例えばディップスイッチであって、信号処理回路８に接続されており、照明制御操作スイッチ１のアドレスを外部から設定するためのものである。また、アドレス設定手段１０で設定された照明制御操作スイッチ１のアドレスデータは、照明器具側に制御モードを変える信号が送信される際に、メモリ９からの調光データとともに信号処理回路８によって送信されるようにされている。
【００２２】
箱体１１は、絶縁材からなり、一方に開口を備えて形成され、内部に信号処理回路８と、ＬＥＤ駆動回路７ｂ、信号処理回路８、メモリ９、アドレス設定手段１０およびタイマー回路１３とが収容可能に形成され、一面側である開口から操作手段２とＬＥＤ７ａとが露出するようにされている。また、箱体１１には、その一面と隣接する一側面側から電源線１４と信号線１５とが挿通され、それらが内部に収容された信号処理回路８に接続されるようにされている。
【００２３】
取付手段１２は、略薄板の中央部が開口された形状を有し、その開口に箱体１１がその一面側を挿通させてはめ込まれ、箱体１１にネジ止めされて固定されるようにされている。また、取付手段１２は、取付面に埋込取付されるボックス１６に、操作手段２と表示手段７とが外面に面するように、ネジにより取り付けできるようにされている。また、この取付手段１２が取り付けられるボックス１６には、その側面に設けられた孔１６ａに電源線１４と信号線１５とが挿通されており、また、箱体１１が、取付手段１２でボックス１６にネジ止め取り付けされた後、前面側に、操作手段２と表示手段７とに対向する中央部分が開口したプレートカバー１７が取り付けられるようにされている。
【００２４】
このように本実施の形態における照明制御操作スイッチ１においては、操作手段２の操作継続時間長Ｔにより照明器具の制御モードを変える信号処理回路８と、制御モードの状態を表示する表示手段７とを有し、操作手段２の操作継続時間長Ｔに応じて信号処理回路８から照明器具のオン・オフ信号または調光信号を出力するようにしたため、１つの操作手段２で、照明器具のオン・オフと、調光レベルの調節のどちらの機能をも果たすようにできる。また、照明制御操作スイッチ１がアドレス設定手段を有するようにしたため、照明制御システムに複数の照明制御操作スイッチ１と複数の照明器具とが使用されるときに、各照明器具に対応させて各照明制御操作スイッチ１毎のアドレス番号が設定できる。
【００２５】
また、照明制御操作スイッチ１に、信号処理回路８を収容するとともに操作手段２と表示手段７とを表面に露出させる箱体１１と、この箱体１１を取付面に埋込取付させる取付手段１２とを設けて構成したため、照明制御操作スイッチ１を取付面に取り付けし易くできる。
【００２６】
なお、上記実施の形態においては、タイマー回路１３を、タイマー１とタイマー２の２つのタイマーを有するものを例示したが、本発明はこれに限らず、タイマーを１つとし、タイマー１を、ＬＥＤが高速点滅を開始すると略同時にリセットして再度カウント開始させるようにしたものであってもよい。このようにすれば、タイマー回路のタイマーは１つだけでよい。また、照明制御操作スイッチ１のアドレスデータは、メモリに格納されるようにさせてもよい。
【００２７】
また、上記実施の形態においては、照明器具の調光データを読み出し可能に記憶させておくために、メモリ９が設けられたものを例示したが、本発明はこれに限らず、メモリを設けないものであってもよい。
【００２８】
また、上記実施の形態においては、表示手段７にはＬＥＤ７ａを１つだけ設けるようにしたものを例示したが、本発明はこれに限らず、ＬＥＤを、２つ設けてこれら２つのＬＥＤの点灯・ 消灯の表示状態の組み合わせにより、制御モードを表示するようにしてもよい。また、ＬＥＤは、操作手段に、発光側が外面に面して見えるように取り付けられるようにしてもよい。
【００２９】
図８および図９は、上述の照明制御操作スイッチ１を使用した照明制御システムの一実施の形態を示すものであって、照明制御操作スイッチ１と、受信機３および照明器具４とを備えて構成されている。
【００３０】
受信機３は、オン・オフ手段５と、調光手段６、受信機アドレス設定手段１８および受信機制御回路１９とを備えて構成され、受信機制御回路１９が照明制御操作スイッチ１に信号線１５を介して接続されるとともに、電源線１４を介して電源に接続されており、照明制御操作スイッチ１側での操作に応じてオン・オフ手段５および調光手段６を制御して、照明器具４への電力供給を制御するようにされている。
【００３１】
受信機制御回路１９は、オン・オフ手段５と、調光手段６、受信機アドレス設定手段１８とに接続されるとともに、照明制御操作スイッチ１に信号線１５を介して接続されている。この受信機制御回路１９は、受信機アドレス設定手段１８である例えばディップスイッチに設定された受信機用アドレスデータをもとに、照明制御操作スイッチ１から送信されてくる照明制御操作スイッチ１のアドレスデータがその受信機３用の信号であるか判別する。そして、自己用の信号であったときに、照明器具４のオン・オフ信号または調光信号に応じて、照明器具４のオン・オフ制御をオン・オフ手段５に、調光制御を調光手段６にそれぞれ行わせるようにされている。
【００３２】
オン・オフ手段５は、リレー接点を有するリレー５ａと、このリレー５ａを駆動するリレー駆動回路５ｂとを備えて構成されている。リレー５ａは、そのリレー接点が照明器具４と電源との間に接続されている。そして、照明制御操作スイッチ１からの照明器具４のオン・オフ信号が受信機制御回路１９に受信されると、受信機制御回路１９によりリレー駆動回路５ｂにリレー５ａを駆動制御させて、リレー５ａのリレー接点を開閉動作させて照明器具４のオン・オフを行うようにされている。
【００３３】
調光手段６は、リレー接点を有する異なるリレー６ａと、照明器具４に電源線１４を介して接続されるとともに受信機制御回路１９に内部信号線を介して接続される位相制御回路６ｂとを備えて構成されている。異なるリレー６ａは、その接点が、照明器具４とリレー５ａのリレー接点との間に接続されるとともに、リレー駆動回路５ｂによって駆動制御されるようにされており、電源から照明器具４への電力の供給経路を、電源から位相制御回路６ｂを経由して照明器具４へ至るように切り替え可能に構成されている。位相制御回路６ｂは、電源からの電力波形を位相制御することにより、照明器具４を調光させる回路である。そして、照明制御操作スイッチ１からの照明器具４の調光信号が受信機制御回路１９に受信されると、受信機制御回路１９によりリレー駆動回路５ｂに異なるリレー６ａを駆動制御させて、異なるリレー６ａのリレー接点を位相制御回路６ｂ側へ切り替えさせて照明器具４をアップ調光制御もしくはダウン調光制御するようにされている。
【００３４】
このように本実施の形態における照明制御システムにおいては、照明器具４を制御するための操作手段２を備え、この操作手段２の操作継続時間長Ｔに応じて照明器具４のオン・オフ信号または調光信号を出力する照明制御操作スイッチ１と、この照明制御操作スイッチ１と照明器具４とに接続され、オン・オフ信号または調光信号を受信するとともに、受信したそれらの信号をもとに照明器具４をオン・オフまたは調光制御する受信機３とを備えてなるようにしたため、１つの操作手段２で照明器具４のオン・オフ制御と調光レベル調節とが行え、操作手段２の設置スペースが１つ分だけで済むとともに、調光用としてスライド型ボリュームや回動型ボリューム等の操作手段を使用する場合に比べて、操作手段２を操作するためのスペースが必要にならない。
【００３５】
【発明の効果】
このように構成したため本発明は、請求項１記載の発明にあっては、照明器具を制御するための操作手段を有する照明制御操作スイッチにおいて、操作手段の操作継続時間長により照明器具の制御モードを変える信号処理回路と、制御モードの状態を表示する表示手段とを有し、前記信号処理回路は、前記操作手段の操作継続時間長が第１の所定時間以下の場合に前記照明器具のオン・オフ信号を出力し、前記操作手段の操作継続時間長が第１の所定時間を越える場合に調光信号を出力する動作モードとなるものであり、前記調光信号を出力する動作モードになった場合に、前記操作手段の操作継続時間長が前記第１の所定時間より長い第２の所定時間後に継続されるか否かにより、前記第２の所定時間後の前記操作手段の操作により出力する調光信号を、アップ調光制御を行うための調光信号とダウン調光制御を行うための調光信号との相異なる調光信号に定めるため、１つの操作手段で、照明器具のオン・オフと、調光レベルの調節のどちらの機能をも果たすようにできる。
【００３６】
請求項２記載の発明にあっては、請求項１記載の発明の効果に加えて、信号処理回路を箱体に収容させ操作手段と表示手段とを箱体の表面に露出させるとともに、箱体にこの箱体を取付面に埋込取付させる取付手段を設けたため、照明制御操作スイッチを取付面に取り付けし易くできる。
【００３７】
請求項３記載の発明にあっては、請求項１、または請求項２記載の発明の効果に加えて、照明制御操作スイッチが、アドレス設定手段を有するようにしたため、照明制御システムに複数の照明制御操作スイッチと複数の照明器具とが使用されるときに、各照明器具に対応させて各照明制御操作スイッチ毎のアドレス番号が設定できる。
【００３８】
請求項４記載の発明にあっては、照明制御システムを、請求項１記載の照明制御操作スイッチと、この照明制御操作スイッチと照明器具とに接続され、オン・オフ信号または調光信号を受信するとともに、受信したオン・オフ信号をもとに照明器具をオン・オフするオン・オフ手段と、受信した調光信号をもとに照明器具を調光制御する調光手段とを有する受信機とを備えてなるようにしたため、１つの操作手段で照明器具のオン・オフ制御と調光レベル調節とが行え、操作手段の設置スペースが１つ分だけで済むとともに、調光用としてスライド型ボリュームや回動型ボリューム等の操作手段を使用する場合に比べて、操作手段を操作するためのスペースが必要にならない。
【図面の簡単な説明】
【図１】本発明の照明制御操作スイッチの一実施の形態を示すもので、(a) は正面図、(b) はブロック図である。
【図２】同上のオン・オフ信号と照明器具のオン・オフとを示すタイミングチャートで、(a) は操作継続時間長Ｔ、(b) は照明器具がオンになる場合、(c) は照明器具がオフになる場合をそれぞれ示している。
【図３】同上の調光信号と照明器具の調光制御とを示すタイミングチャートで、(a) は操作継続時間長Ｔ、(b) は表示手段のＬＥＤの低速点滅、(c) は照明器具のダウン調光のタイミングをそれぞれ示している。
【図４】同上の調光信号と照明器具の調光制御とを示すタイミングチャートで、(a) は操作継続時間長Ｔ、(b) は表示手段のＬＥＤの高速点滅、(c) は照明器具のアップ調光のタイミングをそれぞれ示している。
【図５】同上の取付面への埋込取り付けの取り付け構造を示す分解斜視図である。
【図６】同上の操作者側からみた操作を説明する流れ図である。
【図７】同上の信号処理回路側からみた動作を説明する流れ図である。
【図８】本発明の照明制御操作スイッチを使用した照明制御システムの一実施の形態を示すブロック図である。
【図９】同上のシステム内で送受信される信号配列を示す模式図である。
【図１０】従来の照明制御操作スイッチを示すもので、(a) はオン・オフ用の操作手段にタンブラスイッチを使用したものを示す正面図、(b) は調光用の操作手段にスライド型ボリュームを使用したものを示す正面図である。
【図１１】同上の異なる調光用の操作手段として回動型ボリュームを示す正面図である。
【図１２】同上の照明制御操作スイッチを示すブロック図である。
【図１３】同上の照明制御操作スイッチを使用した従来の照明制御システムを示すブロック図である。
【符号の説明】
１    照明制御操作スイッチ
２    操作手段
３    受信機
４    照明器具
５    オン・オフ手段
６    調光手段
７    表示手段
８    信号処理回路
１０  アドレス設定手段
１１  箱体
１２  取付手段
Ｔ    操作継続時間長
【図１】
0003845946.tif 000002
【図２】
0003845946.tif 000003
【図３】
0003845946.tif 000004
【図４】
0003845946.tif 000005
【図５】
0003845946.tif 000006
【図６】
0003845946.tif 000007
【図７】
0003845946.tif 000008
【図８】
0003845946.tif 000009
【図９】
0003845946.tif 000010
【図１０】
0003845946.tif 000011
【図１１】
0003845946.tif 000012
【図１２】
0003845946.tif 000013
【図１３】
0003845946.tif 000014